(57)【要約】【課題】開閉部材の開閉時にその作動状態が見える範囲で減速制御を行い、見た目の高級感が得られるようにする。【解決手段】パワーウインドウ装置１の制御手段３は、全開位置Ａと全閉位置Ａ１の間にある減速開始位置Ｄ（位置Ｄ）と、位置Ｄより全開位置Ａ側にある減速終了位置Ｃ（位置Ｃ）と、位置Ｃより更に全開位置Ａ近傍にあるモータ停止位置Ｂ（位置Ｂ）とを記憶する。ウインドウガラス１１（ガラス１１）が位置Ｃにある時、その上端は窓枠１２の下枠部分に装着されたベルトモール１３の上端と同じ高さとなる。制御手段３は、ガラス１１を位置Ｄから位置Ｃの区間（ガラス１１の下降動作が見える区間）で減速し、位置Ｃから位置Ｂの区間では低速一定で下降させ、全開位置Ａから所定距離の位置でモータ２０を停止し、全開位置Ａより手前で停止させる。また、全閉動作でも同様に、上昇動作が見える間に速度制御する。【選択図】図１
2008069571.tif 000002
【特許請求の範囲】
【請求項１】
全開位置と全閉位置の間の作動区間において移動可能な開閉部材と、該開閉部材をモータの作動により開閉駆動する駆動手段と、該駆動手段によって開閉駆動される前記開閉部材の位置を検出する位置検出手段と、該位置検出手段による前記開閉部材の検出位置に基づいて前記駆動手段を駆動制御する制御手段と、を備えた開閉部材制御装置であって、
前記制御手段は、前記作動区間において前記全開位置近傍又は前記全閉位置近傍から前記作動区間の中央側へ順に並ぶように設定されたモータ停止位置、減速終了位置、減速開始位置、を記憶し、
前記制御手段は、前記開閉部材を前記作動区間の中央側から前記モータ停止位置方向に駆動するときに、前記減速開始位置から前記減速終了位置に到達するまでの減速区間において前記モータの出力を低下させると共に、前記モータ停止位置に到達したときに、前記モータへの通電を停止又は前記モータが駆動停止する駆動電力まで低下させ、
前記減速終了位置及び前記減速開始位置は、前記減速区間における前記開閉部材の移動が外部から視認可能な位置に設定されたことを特徴とする開閉部材制御装置。
【請求項２】
前記制御手段は、前記開閉部材が前記減速終了位置から前記モータ停止位置に到達するまでの低速区間において前記モータの出力が前記減速区間における出力以下となり、前記モータ停止位置に到達する直前の前記モータの出力が略一定となるように前記駆動手段を駆動することを特徴とする請求項１に記載の開閉部材制御装置。
【請求項３】
前記モータ停止位置は、前記モータ停止位置で前記モータが駆動停止されたときの前記開閉部材の移動速度では、前記開閉部材が前記作動区間の端まで到達不能な位置に設定されたことを特徴とする請求項１に記載の開閉部材制御装置。
【請求項４】
前記開閉部材は車両のウインドウガラスであり、
前記減速終了位置は、前記ウインドウガラスの前記全閉位置方向の先端と、車両の窓枠に配設されたシール部材の先端とが略同一位置となる位置に設定され、
前記ウインドウガラスの前記全閉位置方向の先端は、前記減速区間において、前記シール部材の先端よりも前記作動区間の中央側に位置する状態で移動されることを特徴とする請求項１に記載の開閉部材制御装置。
【請求項５】
前記シール部材は車両の窓枠の下枠部分に配設されたベルトモールからなり、
前記減速終了位置は、前記ウインドウガラスの前記全閉位置方向の先端が前記ベルトモールの上端を通過する位置に設定され、
前記ウインドウガラスは、前記全開位置方向への駆動時に、前記減速区間において少なくともその一部が前記ベルトモールを越えて外部に出現した状態で下降されることを特徴とする請求項４に記載の開閉部材制御装置。
【請求項６】
前記シール部材は車両の窓枠の上枠部分に配設されたウェザストリップからなり、
前記減速終了位置は、前記ウインドウガラスの前記全閉位置方向の先端が前記ウェザストリップの下端を通過する位置に設定され、
前記ウインドウガラスの前記全閉位置方向の先端は、前記ウインドウガラスの前記全閉位置方向への駆動時に、前記減速区間において前記ウェザストリップに隠蔽されずに外部に出現した状態で上昇されることを特徴とする請求項４に記載の開閉部材制御装置。
【請求項７】
全開位置と全閉位置の間の作動区間において移動可能な開閉部材と、該開閉部材をモータの作動により開閉駆動する駆動手段と、該駆動手段によって開閉駆動される前記開閉部材の位置を検出する位置検出手段と、該位置検出手段による前記開閉部材の検出位置に基づいて前記駆動手段を駆動制御する制御手段と、を備えた開閉部材制御装置における開閉部材の制御方法であって、
前記作動区間において前記全開位置近傍又は前記全閉位置近傍から前記作動区間の中央側へ順に並ぶように設定されたモータ停止位置、減速終了位置、減速開始位置、を設定する第１ステップと、
前記開閉部材を前記作動区間の中央側から前記モータ停止位置方向へ駆動して、前記開閉部材が前記減速開始位置に到達してから前記減速終了位置に到達するまでの減速区間において前記モータの出力を低下させていく第２ステップと、
前記開閉部材が前記モータ停止位置に到達したときに、前記モータへの通電を停止又は前記モータが駆動不能となる駆動電力まで低下させる第３ステップと、を行い、
前記減速終了位置及び前記減速開始位置は、前記減速区間における前記開閉部材の移動が外部から視認可能な位置に設定されることを特徴とする開閉部材の制御方法。
【請求項８】
前記第２ステップと前記第３ステップの間に、前記開閉部材が前記減速終了位置から前記モータ停止位置に到達するまでの低速区間において前記モータの出力が前記減速区間における出力以下となり、前記モータ停止位置に到達する直前の前記モータの出力が略一定となるように前記駆動手段を駆動する第４ステップを行うことを特徴とする請求項７に記載の開閉部材の制御方法。
【請求項９】
前記モータ停止位置は、前記モータ停止位置で前記モータが駆動停止されたときの前記開閉部材の移動速度では、前記開閉部材が前記作動区間の端まで到達不能な位置に設定されることを特徴とする請求項７に記載の開閉部材の制御方法。
【請求項１０】
前記開閉部材は車両のウインドウガラスであり、
前記第２ステップでは、前記減速区間において、前記ウインドウガラスの少なくとも一部が車両の窓枠の下枠部分に配設されたベルトモールを越えて外部に出現した状態で移動されることを特徴とする請求項７に記載の開閉部材の制御方法。
【請求項１１】
前記開閉部材は車両のウインドウガラスであり、
前記第２ステップでは、前記減速区間において、前記ウインドウガラスの前記全閉位置方向の先端が車両の窓枠の上枠部分に配設されたウェザストリップに隠蔽されずに外部に出現した状態で移動されることを特徴とする請求項７に記載の開閉部材の制御方法。
【請求項１２】
前記制御手段は、前記全開位置と前記全閉位置とを記憶しており、
前記第１ステップでは、前記減速開始位置は、前記全開位置、前記全閉位置、前記減速終了位置、のいずれかを基準に設定されることを特徴とする請求項７に記載の開閉部材の制御方法。
【発明の詳細な説明】
【技術分野】
【０００１】
本発明は開閉部材制御装置及びその制御方法に係り、特に開閉部材の開閉位置に応じてその速度制御を行う開閉部材制御装置及び開閉部材の制御方法に関する。
【背景技術】
【０００２】
従来、車両の窓ガラスの昇降装置は、電動モータによる回転駆動力を昇降機構に伝達して、昇降機構を介して窓ガラスを昇降させる構成となっている。このような昇降装置では、窓ガラスの上昇又は下降に応じて所定の駆動電圧を電動モータに印加することにより、窓ガラスを所定の速度で上昇又は下降させている（例えば、特許文献１参照）。
特許文献１に記載の昇降装置では、窓ガラスをわずかに開ける操作をしやすくしたり、挟み込み防止や停止時の衝撃を防止するために、全開位置や全閉位置の近くでは窓ガラスの速度を段階的に緩やかにする制御が行われている。
【０００３】
また、特許文献１に記載の昇降装置では、窓ガラスを下端ロック位置まで下降させたときに窓ガラスがストッパによって機械的に拘束され、その際に過大な衝撃力が駆動系に加わることにより、駆動系の耐久性が損なわれたり不快な衝撃音が発生するのを防止するために、下端ロック位置直前で電動モータの駆動を停止し、惰性によって窓ガラスを下端ロック位置まで降下させることにより電動モータの回転を停止させる技術が提案されている。このようにすると、下端ロック位置直前で電動モータの駆動を停止するので、駆動系の耐久性を大きく損なうような衝撃の発生を避けることができる。
【０００４】
【特許文献１】実用新案登録第２５７７０９２号公報（第３−６頁、図１１、図１２）
【発明の開示】
【発明が解決しようとする課題】
【０００５】
しかしながら、特許文献１に記載の昇降装置では、モータ駆動電圧が段階的に変化しているが、このような速度制御では窓ガラスの動きにガクガク感があり、動作面において高級感を感じさせることができないという問題点があった。また、減速制御を行う目的が挟みこみ防止や衝撃防止となっており、窓ガラスが徐々に減速している状態を乗員に視認させて高級感を感じさせるのを目的として、減速制御のための基準位置を窓ガラスがドアパネル内に隠れる位置との関係で設定するという技術は提案されていなかった。
また、特許文献１に記載の技術では、依然として窓ガラスが下端ロック位置で停止する構成のため、やはり窓ガラスの停止時に作動停止音が発生してしまうという問題があった。
また、特許文献１のように下端ロック位置手前でモータ作動を停止させると、経時変化等による負荷の変動の影響を受けて、窓ガラス停止位置がばらつき、下端ロック位置において確実に停止させるか十分に速度を低減させることができないという問題が生じるおそれがあった。
【０００６】
本発明の目的は、上記課題に鑑み、開閉部材を全開位置方向又は全閉位置方向へ駆動するときに、窓ガラスの作動時の見た目の高級感を感じさせることができる開閉部材制御装置及び開閉部材の制御方法を提供することにある。また、本発明の他の目的は、衝撃音を発生させてしまうことなく開閉部材を全開位置又は全閉位置手前で停止させると共に、その停止位置のばらつきを小さくすることができる開閉部材制御装置及び開閉部材の制御方法を提供することにある。
【課題を解決するための手段】
【０００７】
前記課題は、本発明の開閉部材制御装置によれば、全開位置と全閉位置の間の作動区間において移動可能な開閉部材と、該開閉部材をモータの作動により開閉駆動する駆動手段と、該駆動手段によって開閉駆動される前記開閉部材の位置を検出する位置検出手段と、該位置検出手段による前記開閉部材の検出位置に基づいて前記駆動手段を駆動制御する制御手段と、を備えた開閉部材制御装置であって、前記制御手段は、前記作動区間において前記全開位置近傍又は前記全閉位置近傍から前記作動区間の中央側へ順に並ぶように設定されたモータ停止位置、減速終了位置、減速開始位置、を記憶し、前記制御手段は、前記開閉部材を前記作動区間の中央側から前記モータ停止位置方向に駆動するときに、前記減速開始位置から前記減速終了位置に到達するまでの減速区間において前記モータの出力を低下させると共に、前記モータ停止位置に到達したときに、前記モータへの通電を停止又は前記モータが駆動停止する駆動電力まで低下させ、前記減速終了位置及び前記減速開始位置は、前記減速区間における前記開閉部材の移動が外部から視認可能な位置に設定されたことにより解決される。
【０００８】
また、上述の、全開位置と全閉位置の間の作動区間において移動可能な開閉部材と、該開閉部材をモータの作動により開閉駆動する駆動手段と、該駆動手段によって開閉駆動される前記開閉部材の位置を検出する位置検出手段と、該位置検出手段による前記開閉部材の検出位置に基づいて前記駆動手段を駆動制御する制御手段と、を備えた開閉部材制御装置における開閉部材の制御方法は、前記作動区間において前記全開位置近傍又は前記全閉位置近傍から前記作動区間の中央側へ順に並ぶように設定されたモータ停止位置、減速終了位置、減速開始位置、を設定する第１ステップと、前記開閉部材を前記作動区間の中央側から前記モータ停止位置方向へ駆動して、前記開閉部材が前記減速開始位置に到達してから前記減速終了位置に到達するまでの減速区間において前記モータの出力を低下させていく第２ステップと、前記開閉部材が前記モータ停止位置に到達したときに、前記モータへの通電を停止又は前記モータが駆動不能となる駆動電力まで低下させる第３ステップと、を行い、前記減速終了位置及び前記減速開始位置は、前記減速区間における前記開閉部材の移動が外部から視認可能な位置に設定されると好適である。
【０００９】
このように本発明では、開閉部材が減速開始位置から減速終了位置に到達するまでの減速区間においてモータの出力を低下させていき、減速終了位置よりも全開位置近傍又は全閉位置近傍のモータ停止位置では、モータへの通電を停止又は低下させることによりモータを駆動不能な状態にする。そして、この減速区間では、減速される開閉部材の移動が外部から視認可能とされている。従って、開閉部材が徐々に減速されて低速となる動きをしていることが外部から視認でき、開閉部材の作動時の見た目の高級感を感じさせることができる。
【００１０】
また、本発明の開閉部材制御装置では、前記制御手段は、前記開閉部材が前記減速終了位置から前記モータ停止位置に到達するまでの低速区間において前記モータの出力が前記減速区間における出力以下となり、前記モータ停止位置に到達する直前の前記モータの出力が略一定となるように前記駆動手段を駆動することができる。
また、本発明の開閉部材の制御方法では、前記第２ステップと前記第３ステップの間に、前記開閉部材が前記減速終了位置から前記モータ停止位置に到達するまでの低速区間において前記モータの出力が前記減速区間における出力以下となり、前記モータ停止位置に到達する直前の前記モータの出力が略一定となるように前記駆動手段を駆動する第４ステップを行う。
【００１１】
このように本発明では、開閉部材を減速した後に、減速中よりもモータ出力をさらに低くしてさらに低速とし、モータ停止位置で停止する直前には低速一定とする。これにより、モータ停止位置における慣性力及び速度を小さくすることができ、モータ停止位置から全開位置側へ開閉部材が摺動抵抗等に抗して移動する距離を短くすることができる。
また、停止までの移動距離が短くなれば、経時変化等により開閉部材に掛かる摺動抵抗等が変化しても、開閉部材の停止位置が大きくバラついてしまうことがなく、好適である。
【００１２】
また、本発明の開閉部材制御装置及び開閉部材の制御方法では、前記モータ停止位置は、前記モータ停止位置で前記モータが駆動停止されたときの前記開閉部材の移動速度では、前記開閉部材が前記作動区間の端まで到達不能な位置に設定されている。
このようにすれば、確実に全開位置の手前又は全閉位置の手前で開閉部材を停止させることができ、確実に衝突音の発生を防止することができる。よって、停止時に駆動機構やウインドウガラスがストッパ等と当接して衝撃音が発生してしまうことを防止することができる。また、これにより、駆動機構等に軽微なダメージが停止毎に積み重なって与えられてしまうことを防止することができるので、駆動機構の耐久性を継続的に確保することが可能となる。
【００１３】
また、本発明の開閉部材制御装置では、前記開閉部材は車両のウインドウガラスであり、前記減速終了位置は、前記ウインドウガラスの前記全閉位置方向の先端と、車両の窓枠に配設されたシール部材の先端とが略同一位置となる位置に設定され、前記ウインドウガラスの前記全閉位置方向の先端は、前記減速区間において、前記シール部材の先端よりも前記作動区間の中央側に位置する状態で移動される。
このようにすれば、車両のウインドウガラスの開閉時に、ウインドウガラスが徐々に減速されて低速となる状況を乗員に視認させることができる。従って、乗員にウインドウガラスの作動時の見た目の高級感を感じさせることができる。
【００１４】
また、より具体的には、前記シール部材は車両の窓枠の下枠部分に配設されたベルトモールからなり、前記減速終了位置は、前記ウインドウガラスの前記全閉位置方向の先端が前記ベルトモールの上端を通過する位置に設定され、前記ウインドウガラスは、前記全開位置方向への駆動時に、前記減速区間において少なくともその一部が前記ベルトモールを越えて外部に出現した状態で下降されるように構成してもよい。
また、より具体的には、前記シール部材は車両の窓枠の上枠部分に配設されたウェザストリップからなり、前記減速終了位置は、前記ウインドウガラスの前記全閉位置方向の先端が前記ウェザストリップの下端を通過する位置に設定され、前記ウインドウガラスの前記全閉位置方向の先端は、前記ウインドウガラスの前記全閉位置方向への駆動時に、前記減速区間において前記ウェザストリップに隠蔽されずに外部に出現した状態で上昇されるように構成してもよい。
【００１５】
また、本発明の開閉部材の制御方法において、前記開閉部材は車両のウインドウガラスであり、前記第２ステップでは、前記減速区間において、前記ウインドウガラスの少なくとも一部が車両の窓枠の下枠部分に配設されたベルトモールを越えて外部に出現した状態で移動されるように構成してもよい。
また、本発明の開閉部材の制御方法において、前記開閉部材は車両のウインドウガラスであり、前記第２ステップでは、前記減速区間において、前記ウインドウガラスの前記全閉位置方向の先端が車両の窓枠の上枠部分に配設されたウェザストリップに隠蔽されずに外部に出現した状態で移動されるように構成してもよい。
このようにすれば、全閉動作又は全開動作において、ウインドウガラスの先端が窓枠に装着されたシール部材（ベルトモール、ウェザストリップ等）に隠蔽されない状態で減速することができ、乗員にウインドウガラスの作動時の見た目の高級感を感じさせることができる。
【００１６】
また、本発明の開閉部材の制御方法では、前記制御手段は、前記全開位置と前記全閉位置とを記憶しており、前記第１ステップでは、前記減速開始位置は、前記全開位置、前記全閉位置、前記減速終了位置、のいずれかを基準に設定される。
このように、減速開始位置が、全開位置、全閉位置、又は減速終了位置（ウインドウガラスの全閉位置方向の先端が、窓枠に配設されたシール部材の先端と略同一位置となる位置）を基準に設定されたものであれば、車種等によって全開位置から全閉位置までの寸法や、全開位置又は全閉位置から減速終了位置までの寸法が異なっても、開閉部材が徐々に減速されて低速となる区間を、確実に外部から視認できる区間とすることができる。
【発明の効果】
【００１７】
本発明によれば、以下の効果を奏する。
○  開閉部材が減速開始位置から減速終了位置に到達するまでの減速区間においてモータの出力を低下させ、この減速区間では、減速される開閉部材の移動が外部から視認可能とされている。従って、開閉部材が徐々に減速されて低速となる動きをしていることが外部から視認でき、開閉部材の作動時の見た目の高級感を感じさせることができる。より具体的には、車両のウインドウガラスの開閉時に、ウインドウガラスが徐々に減速される状況を乗員に視認させることができるので、乗員に見た目の高級感を感じさせることができる。
【００１８】
○  減速後に、減速中よりもモータ出力をさらに低くしてさらに低速とし、モータ停止位置で停止する直前には低速一定とする。これにより、モータ停止位置における慣性力及び速度を小さくすることができ、全開動作時に、モータ停止位置から全開位置側（全閉動作時には全閉位置側）へ開閉部材が摺動抵抗等に抗して移動する距離を短くすることができる。よって、モータ停止位置を適切に設定すれば、開閉部材が全開位置（全閉動作時には全閉位置）の手前で停止して衝突音が発生しないようにすることができ、衝突音の発生を防止することができる。また、停止までの移動距離が短くなれば、経時変化等により開閉部材に掛かる摺動抵抗等が変化しても、開閉部材の停止位置が大きくバラついてしまうことがなく、確実に衝突音の発生を防止することができ、好適である。
【発明を実施するための最良の形態】
【００１９】
以下、本発明の一実施形態について、図を参照して説明する。なお、以下に説明する構成、手順等は、本発明を限定するものではなく、本発明の趣旨に沿って各種改変することができることは勿論である。
図１〜図６，図８〜図１０及び図１２は本発明の一実施形態に係るものであり、図１はパワーウインドウ装置の説明図、図２は図１のパワーウインドウ装置の電気構成図、図３はウインドウガラスの位置とモータ出力の関係を表わすグラフ、図４はウインドウガラスの位置とモータ印加電圧の関係を表わすグラフ、図５は全開動作時のコントローラの設定処理の処理フロー、図６は全開動作時のコントローラの速度制御処理の処理フロー、図８は本実施形態のウインドウガラスの全開動作時における位置とモータ出力及びモータ回転速度の関係を表わすグラフ、図９は全閉動作時のコントローラの設定処理の処理フロー、図１０は全閉動作時のコントローラの速度制御処理の処理フロー、図１２は本実施形態のウインドウガラスの全閉動作時における位置とモータ出力及びモータ回転速度の関係を表わすグラフである。
また、図７は比較例のウインドウガラスの全開動作時における位置とモータ出力及びモータ回転速度の関係を表わすグラフ、図１１は比較例のウインドウガラスの全閉動作時における位置とモータ出力及びモータ回転速度の関係（全閉動作時）を表わすグラフである。また、図１３〜図１５は、改変例に係るウインドウガラスの位置とモータ出力の関係を表わすグラフである。
【００２０】
以下に、本発明の開閉部材制御装置をパワーウインドウ装置に適用した一実施形態について説明する。
（パワーウインドウ装置の構成）
図１に本例のパワーウインドウ装置１（以下、「装置１」という）の説明図、図２にその電気構成図を示す。本例のパワーウインドウ装置１は、車両のドア１０に配設される開閉部材としてのウインドウガラス１１をモータ２０の回転駆動により昇降（開閉）作動させるものである。装置１は、ウインドウガラス１１を開閉駆動する駆動手段２と、駆動手段２の作動を制御するための制御手段３と、乗員が作動を指令するための操作スイッチ４とを主要構成要素としている。
【００２１】
ドア１０は、その下側部位の車両外部側（車幅方向外側）に配設されたアウタパネルと車室側（車幅方向内側）に配設されたインナパネルの間に、下降したウインドウガラス１１を収納する収納空間を有している。また、ドア１０の上部には窓枠（ガラス枠）１２が設けられており、ウインドウガラス１１は、上記収納空間内から窓枠１２の下枠部分を越えて窓枠１２内に出現し、昇降作動する。
【００２２】
窓枠１２の下枠部分には、シール部材としてのベルトモール（ベルトモールディング）１３が装着されている。ベルトモール１３は、アウタパネルの上部に固定されるアウタモールと、インナパネルの上部に固定されるインナモールを備えており、ウインドウガラス１１は、アウタモールとインナモールとの隙間を通過して窓枠１２内を昇降作動する。アウタモールとインナモールには、それぞれウインドウガラス１１側に突出するシール突起が形成されており、このシール突起がウインドウガラス１１のガラス表面に弾性的に圧接するようになっている。
また、窓枠１２の上枠部分には、同様にシール部材としてのウェザストリップ（アッパーモールディング）１４が装着されている。ウェザストリップ１４は、その下端部分に下方に開口した溝が形成されている。この溝はウインドウガラス１１の上端を所定の長さ分だけ挿入可能に形成されており、その溝内壁には、挿入されたウインドウガラス１１の上端部分のガラス表面が弾性的に圧接するようになっている。
【００２３】
図１に、ウインドウガラス１１が昇降作動する作動領域（作動区間）上の各基準位置を符号Ａ〜Ｄ及び符号Ａ１〜Ｄ１により示す。符号Ａ〜Ｄは作動領域の下端側に設定された基準位置であり、最も下方の基準位置Ａが全開位置である。また、符号Ａ１〜Ｄ１は作動領域の上端側に設定された基準位置であり、最も上方の基準位置Ａ１が全閉位置である。これらの基準位置は、後述するように、ウインドウガラス１１の開閉速度制御のために設定されるものである。
【００２４】
この図に示すように、作動領域の下端側（Ａ〜Ｄ側）では、ウインドウガラス１１は、作動領域の下端（全開位置Ａ）においてその上端がベルトモール１３の上端よりも下方に下降しており、ウインドウガラス１１全体がドア１０内に隠れた状態となっている。
このように、ウインドウガラス１１は、その上端がベルトモール１３の上端と同一の高さにある位置（後述する減速終了位置Ｃ）を通過して作動するようになっている。従って、この減速終了位置Ｃから全開位置Ａまで移動する間は、ウインドウガラス１１全体が乗員から見えず、ウインドウガラス１１の動きが乗員に全く視認できないようになっている。
【００２５】
また、作動領域の上端側（Ａ１〜Ｄ１側）では、ウインドウガラス１１は、作動領域の上端（全閉位置Ａ１）においてその上端がウェザストリップ１４の下端よりも上方に上昇している。すなわち、全閉位置Ａ１では、ドア１０の上側部に設けられた窓開口（窓枠１２によって囲まれる開口）がウインドウガラス１１によって完全に閉鎖されると共に、ウインドウガラス１１の上端部分がウェザストリップ１４内に隠れた状態となっている。
このように、ウインドウガラス１１は、その上端がウェザストリップ１４の下端と同一の高さにある位置（後述する減速終了位置Ｃ１）を通過して作動するようになっている。従って、この減速終了位置Ｃ１から全閉位置Ａ１まで移動する間は、ウインドウガラス１１の上端部分の移動はウェザストリップ１４内の作動領域で行われているため乗員から見えなくなっている。
【００２６】
本例では、ウインドウガラス１１は不図示のレールに沿って上方の全閉位置（上端）Ａ１と下方の全開位置（下端）Ａとの間で昇降動作する。
本例の駆動手段２は、ドア１０に固定された減速機構を有するモータ２０と、モータ２０に駆動される扇形状のギヤ２１ａを備えた昇降アーム２１と、昇降アーム２１とクロスして枢支される従動アーム２２と、ドア１０に固定された固定チャンネル２３及びウインドウガラス１１と一体のガラス側チャンネル２４とを主要構成要素としている。昇降アーム２１，従動アーム２２，固定チャンネル２３及びガラス側チャンネル２４により、駆動手段２の駆動機構が構成されている。
【００２７】
本例のモータ２０は、制御手段３から電力供給を受けることにより、回転子の巻線に通電され、これにより回転子とマグネットを有する固定子との間で磁気吸引作用が生じて回転子が正逆回転するように構成されている。本例の駆動手段２では、モータ２０の回動に応じて昇降アーム２１及び従動アーム２２が揺動すると、これらの各端部がチャンネル２３，２４により摺動規制を受け、Ｘリンクとして駆動し、ウインドウガラス１１を昇降作動させる。
【００２８】
本例のモータ２０には、回転検出装置２７が一体に備えられている。回転検出装置２７は、モータ２０の回転と同期したパルス信号（回転速度信号）を制御手段３へ出力するものである。本例の回転検出装置２７は、モータ２０の出力軸と共に回動するマグネットの磁気変化を複数のホール素子で検出するように構成されている。すなわち、パルス信号は、ウインドウガラス１１の所定移動量毎もしくはモータ２０の所定回転角毎に出力される。これにより、回転検出装置２７は、モータ２０の回転速度に略比例するウインドウガラス１１の移動に応じた信号を出力可能である。そして、回転検出装置２７からのパルス信号によって、制御手段３はウインドウガラス１１の位置を検出している。本例では、回転検出装置２７と制御手段３によって位置検出手段が構成されている。
【００２９】
なお、本例では、回転検出装置２７にホール素子を用いたものを採用しているが、これに限らず、モータ２０の回転を検出することができれば、エンコーダを採用してもよい。また、本例では、ウインドウガラス１１の移動に応じたモータ２０の出力軸の回転を検出するために、モータ２０に回転検出装置２７を一体に設けているが、これに限らず、公知の手段によってウインドウガラス１１の位置を直接的に検出するようにしてもよい。
【００３０】
本例の制御手段３は、コントローラ３１と、駆動回路３２から構成されている。コントローラ３１，駆動回路３２には、車両に搭載されるバッテリ５から作動に必要な電力が供給される。
本例のコントローラ３１は、ＣＰＵ，ＲＯＭ，ＲＡＭ等のメモリ、入力回路、出力回路等を備えるマイクロコンピュータで構成されている。ＣＰＵは、メモリ、入力回路及び出力回路とバスを介して互いに接続されている。なお、これに限らず、コントローラ３１をＤＳＰやゲートアレイで構成してもよい。
【００３１】
コントローラ３１は、通常時、操作スイッチ４からの操作信号に基づいて駆動回路３２を介してモータ２０を正逆回転させて、ウインドウガラス１１を開閉動作させる。また、コントローラ３１は、回転検出装置２７から受け取ったパルス信号に基づいてウインドウガラス１１の位置を検出し、ウインドウガラス１１の検出位置に応じて駆動回路３２を介してモータ２０へ供給する駆動電力の大きさを調整する。具体的には、駆動電圧の大きさ又はＰＷＭ制御する場合はデューティー比の大きさを調整する。これによりモータ出力を調整している。
【００３２】
本例の駆動回路３２は、ＦＥＴを有するＩＣによって構成されており、コントローラ３１からの入力信号に基づいて、モータ２０への電力供給の極性を切換えている。すなわち、駆動回路３２は、コントローラ３１から正回転指令信号を受けたときは、モータ２０を正回転方向に回転させるようにモータ２０へ電力を供給し、コントローラ３１から逆回転指令信号を受けたときは、モータ２０を逆回転方向に回転させるようにモータ２０へ電力を供給する。なお、駆動回路３２は、リレー回路を用いて極性を切換えるように構成してもよい。また、駆動回路３２がコントローラ３１内に組み込まれた構成であってもよい。
【００３３】
コントローラ３１は、入力されるパルス信号からパルス信号の立上がり部，立下がり部（パルスエッジ）を検出し、このパルスエッジの間隔（周期）に基づいてモータ２０の回転速度（回転周期）を算出すると共に、各パルス信号の位相差に基づいてモータ２０の回転方向を検出する。つまり、コントローラ３１は、モータ２０の回転速度（回転周期）に基づいてウインドウガラス１１の移動速度を間接的に算出し、モータ２０の回転方向に基づいてウインドウガラス１１の移動方向を特定している。また、コントローラ３１は、パルスエッジをカウントしている。このパルスカウント値は、ウインドウガラス１１の開閉動作に伴って加減算される。コントローラ３１は、このパルスカウント値の大きさによってウインドウガラス１１の開閉位置を特定する。
【００３４】
すなわち、本例では、全開位置Ａを基準位置としてウインドウガラス１１を駆動することができる。全開位置Ａを基準位置とする場合には、全開位置Ａでパルスカウント値が「０」となるように設定される。そして、このように基準位置でパルスカウント値が「０」となるように設定した後、作動領域（作動区間）の一端側、例えば全閉位置Ａ１方向へウインドウガラス１１が移動しているときはパルス信号を受け取る毎にパルスカウント値を＋１インクリメントし、作動領域の他端側すなわち全開位置Ａ方向へウインドウガラス１１が移動しているときはパルス信号を受け取る毎にパルスカウント値を−１デクリメントする。
なお、全閉位置Ａ１を基準位置としてウインドウガラス１１を駆動してもよい。この場合には、全閉位置Ａ１でパルスカウント値が「０」となるように設定されると共に、全開位置Ａ方向へウインドウガラス１１が移動しているときにパルスカウント値がインクリメントされ、全閉位置Ａ１方向へウインドウガラス１１が移動しているときにパルスカウント値がデクリメントされるようにすればよい。
【００３５】
本例の操作スイッチ４は、２段階操作可能な揺動型スイッチ等で構成され、開スイッチ，閉スイッチ及びオートスイッチを有している。この操作スイッチ４を乗員が操作することにより、コントローラ３１へウインドウガラス１１を開閉動作させるための指令信号が出力される。
具体的には、操作スイッチ４は、一端側へ１段階操作されると開スイッチがオンされ、ウインドウガラス１１を通常開動作（すなわち操作している間だけ開動作）させるための通常開指令信号をコントローラ３１へ出力する。また、操作スイッチ４は、他端側へ１段階操作されると閉スイッチがオンされ、ウインドウガラス１１を通常閉動作（すなわち操作している間だけ閉動作）させるための通常閉指令信号をコントローラ３１へ出力する。
【００３６】
また、操作スイッチ４は、一端側へ２段階操作されると開スイッチ及びオートスイッチが共にオンされ、ウインドウガラス１１をオート開動作（すなわち操作を止めても全開位置Ａの直前位置まで開動作）させるためのオート開指令信号をコントローラ３１へ出力する。また、操作スイッチ４は、他端側へ２段階操作されると閉スイッチ及びオートスイッチが共にオンされ、ウインドウガラス１１をオート閉動作（すなわち操作を止めても全閉位置Ａ１の直前位置まで閉動作）させるためのオート閉指令信号をコントローラ３１へ出力する。
【００３７】
コントローラ３１は、操作スイッチ４から通常開指令信号を受けている間中（操作スイッチ４が操作されている間中）、駆動回路３２を介してモータ２０を駆動し、ウインドウガラス１１を通常開動作させる。一方、コントローラ３１は、操作スイッチ４から通常閉指令信号を受けている間中（操作スイッチ４が操作されている間中）、駆動回路３２を介してモータ２０を駆動し、ウインドウガラス１１を通常閉動作させる。
また、コントローラ３１は、操作スイッチ４からオート開指令信号を受けると、駆動回路３２を介してモータ２０を駆動し、ウインドウガラス１１を全開位置Ａの直前位置までオート開動作させる。一方、コントローラ３１は、操作スイッチ４からオート閉指令信号を受けると、駆動回路３２を介してモータ２０を駆動し、ウインドウガラス１１を全閉位置Ａ１の直前位置までオート閉動作させる。
【００３８】
（パワーウインドウ装置の開閉速度制御）
本例の装置１におけるウインドウガラス１１の全開動作及び全閉動作と、その際に行われる速度制御について概略説明する。
本例では、全開位置Ａから全閉位置Ａ１までの作動区間中においてウインドウガラス１１の開閉速度制御が行われる。そのため、上述したように、開閉速度制御のための基準位置として、作動領域の下端側には図１に示すＡ〜Ｄが設定され、作動領域の上端側にはＡ１〜Ｄ１が設定されている。
まず、作動領域の下端側に設定された基準位置（Ａ〜Ｄ）について説明すると、ウインドウガラス１１の上端とベルトモール１３の上端が同じ高さにある位置（ウインドウガラス１１の上端がベルトモール１３の上端を丁度通過するときの位置）が、減速終了位置Ｃとして設定されている。また、減速終了位置Ｃよりも作動区間の中央寄り（全閉位置Ａ１側）には、減速開始位置Ｄが設定されている。一方、減速終了位置Ｃと全開位置Ａとの間には、モータ停止位置Ｂが設定されている。
【００３９】
次に、作動領域の上端側に設定された基準位置（Ａ１〜Ｄ１）について説明すると、ウインドウガラス１１の上端とウェザストリップ１４の下端が同じ高さにある位置（ウインドウガラス１１の上端がウェザストリップ１４の下端を丁度通過するときの位置）が、減速終了位置Ｃ１として設定されている。また、減速終了位置Ｃ１よりも作動区間の中央寄り（全開位置Ａ側）には、減速開始位置Ｄ１が設定されている。一方、減速終了位置Ｃ１と全閉位置Ａ１との間には、モータ停止位置Ｂ１が設定されている。
【００４０】
コントローラ３１は、全開位置（下端ロック位置）Ａ及び全閉位置（上端ロック位置）Ａ１におけるパルスカウント値をメモリ内に記憶しており、上述のようにウインドウガラス１１の昇降に応じて加減算されるパルスカウント値によってウインドウガラス１１の位置を特定することができる。
本例では、操作スイッチ４から継続的な通常開指令信号又はオート開指令信号を受けると、コントローラ３１は、モータ２０を全開位置Ａ方向へ駆動するように継続的に駆動電圧を供給する。一方、操作スイッチ４から継続的な通常閉指令信号又はオート閉指令信号を受けると、コントローラ３１は、モータ２０を全閉位置Ａ１方向へ駆動するように継続的に駆動電圧を供給する。
【００４１】
全閉位置Ａ１方向へ駆動するための駆動電圧は、全開位置Ａ方向へ駆動するための駆動電圧とは正負逆の値となる。すなわち、モータ２０には、以下に説明するように、全開位置Ａ方向へ駆動するときには図４（Ａ）に示すようなモータ印加電圧が供給される。また、全閉位置Ａ１方向へ駆動するときには図４（Ｂ）に示すような図４（Ａ）とは正負逆のモータ印加電圧が供給される。そして、これらに基づいて、それぞれ図３（Ａ）、図３（Ｂ）に示すような正負逆のモータ出力が駆動機構へ供給され、ウインドウガラス１１が開閉駆動される。
【００４２】
（全開動作時の速度制御）
まず、図３（Ａ）及び図４（Ａ）に基づいて、全開位置Ａ方向へ向かって下降する際のモータ出力とウインドウガラス１１の位置及び移動速度との関係について説明する。
コントローラ３１は、図３（Ａ）に示すように、上方位置（減速開始位置Ｄよりも作動区間の中央寄りの位置）から減速開始位置Ｄまでの区間において、略一定の高いモータ出力を供給するようにモータ２０へ駆動電圧を供給する。これにより、この区間では、比較的高速でウインドウガラス１１が下降する。
なお、この区間では、これに限らず、動作開始時に一旦短時間高いモータ出力を供給し、その後、低いモータ出力から徐々に高いモータ出力に引き上げることにより、スロースタートさせるように構成してもよい。
【００４３】
ウインドウガラス１１が減速開始位置Ｄに到達すると、コントローラ３１は、続いて、モータ出力を低下させる制御を開始する。そして、減速終了位置Ｃに到達するまでの間に徐々にモータ出力を低減してウインドウガラス１１を減速し、ウインドウガラス１１の下降速度が十分低速化されるようにする。
すなわち、コントローラ３１は、本発明の減速区間に相当する減速開始位置Ｄから減速終了位置Ｃまでの区間では、ウインドウガラス１１の移動距離に比例してモータ出力を徐々に低減させるように駆動電圧を供給する。このようなモータ出力の低減により、減速終了位置Ｃに到達するまでにウインドウガラス１１の下降速度は目に見えて低速化され、減速終了位置Ｃにおいて所定の目標速度（低速）に到達する。
【００４４】
次に、コントローラ３１は、本発明の低速区間に相当する減速終了位置Ｃからモータ停止位置Ｂまでの区間において、モータ出力を、減速終了位置Ｃにおいて到達した低速一定に維持する制御を行う。すなわち、ウインドウガラス１１の上端がベルトモール１３の上端を越えてドア１０の内部に隠れてから、モータ停止位置Ｂに到達するまでの区間では、ウインドウガラス１１は低速一定で下降する。
その後、コントローラ３１は、モータ停止位置Ｂでモータ２０への通電を遮断し、これによりモータ出力を０とする。ウインドウガラス１１は、モータ２０への駆動電力の遮断後も、自重及び移動に伴う慣性力によって全開位置Ａ方向へわずかに下降していくが、駆動機構やモータ２０からの下降を妨げる抗力や摺動抵抗によって徐々に低速化され、全開位置Ａ手前の所定位置で下降を停止する。すなわち、本例では、モータ停止位置Ｂは、モータ２０への通電を遮断したときのウインドウガラス１１の移動速度では、ウインドウガラス１１が全開位置Ａまで到達不能である位置に設定されている。
【００４５】
本例では、以上のように、減速終了位置Ｃの手前に設定された減速開始位置Ｄから減速終了位置Ｃまでの区間、すなわちウインドウガラス１１の上端が乗員にまだ見えている区間において、その移動速度が十分低速となるまで減速している。このようにすれば、ウインドウガラス１１が徐々に速度を落としながら下降する様子が乗員から視認されるため、作動時の見た目の高級感を得ることができる。
また、本例では、モータ出力が減速終了位置Ｃからモータ停止位置Ｂまで低速一定に維持された後、通電停止される。このように、移動速度が十分低速となった状態でモータ２０への通電が遮断されることにより、経時変化による摺動抵抗等が変化したとしても、ウインドウガラス１１を、所定の停止位置からほとんどずれることなく停止させることが可能となる。
【００４６】
また、本例では、モータ停止位置Ｂが、モータ２０への通電を遮断したときのウインドウガラス１１の移動速度では、ウインドウガラス１１が全開位置Ａまで到達不能である位置に設定されている。言い換えれば、モータ停止位置Ｂから全開位置Ａまでの距離が、ウインドウガラス１１の自重及びモータ停止位置Ｂにおける慣性力によって下降可能な移動距離よりも大きくなるように設定されている。従って、確実に全開位置Ａ手前でウインドウガラス１１を停止させることができる。これにより、停止時に駆動機構やウインドウガラス１１がストッパ等と当接して衝撃音が発生してしまうことを防止することができる。また、これにより、駆動機構等に軽微なダメージが停止毎に積み重なって与えられてしまうことを防止することができるので、駆動機構の耐久性を継続的に確保することが可能となる。
【００４７】
続いて、図４（Ａ）に基づいて、全開動作時におけるモータ印加電圧とウインドウガラス１１の位置及び移動速度との関係について説明する。
コントローラ３１は、上方位置から減速開始位置Ｄまでは電圧Ｖ１（本例では、バッテリ電圧）でモータ２０を駆動し、減速開始位置Ｄから減速終了位置Ｃまでは徐々に駆動電圧（印加電圧）を低減していく制御を行う。本例では減速終了位置Ｃで印加電圧がＶ２となるように移動距離に比例して印加電圧が低減される。そして、減速終了位置Ｃからモータ停止位置Ｂまでは電圧Ｖ２でモータ２０を駆動する。その後、モータ停止位置Ｂにおいてモータ２０への通電が遮断され、モータ印加電圧は０となる。
【００４８】
なお、本例では、コントローラ３１は、モータ停止位置Ｂでモータ２０への通電を遮断する制御を行うように構成されているが、これに限らず、ウインドウガラス１１の下降をアシストするための電圧を、所定時間だけモータ２０へ印加するように構成してもよい。この場合、アシスト時に印加される電圧は、モータ２０に印加されてもモータ２０が駆動機構を駆動不能な大きさの電圧とすることができる。
また、本例では、モータ２０へ印加する電圧の大きさを低減させることによりモータ出力を低減させていたが、これに限らず、ＰＷＭ制御する場合は、デューティー比を低減させていってもよい。例えば、上方位置から減速開始位置Ｄまではデューティー比を１００％とし、減速開始位置Ｄから減速終了位置Ｃまでは徐々にデューティー比を低減し、減速終了位置Ｃからモータ停止位置Ｂまでは低減後の低いデューティー比を維持するように制御してもよい。
【００４９】
次に、図５，図６に基づいて、全開動作時におけるコントローラ３１の処理フローについて説明する。
まず、図５に基づいてコントローラ３１の設定処理について説明する。設定処理では、ステップＳ１でウインドウガラス１１を全開位置Ａに移動させた状態で、コントローラ３１が記憶するパルスカウント数をゼロリセットする。そして、ステップＳ２では、全開位置Ａを基準位置として、モータ停止位置Ｂまでウインドウガラス１１を上昇させ、コントローラ３１にモータ停止位置Ｂにおけるパルスカウント値を記憶させる。
続いて、ステップＳ３では、全開位置Ａを基準位置として、減速終了位置Ｃまでウインドウガラス１１を上昇させ、ステップＳ４では、同様に、全開位置Ａを基準位置として、減速開始位置Ｄまでウインドウガラス１１を上昇させる。そして、コントローラ３１に減速終了位置Ｃ、減速開始位置Ｄにおけるパルスカウント値を記憶させる。
【００５０】
なお、本例では、全開動作時における減速終了位置Ｃがドア１０の窓枠（下枠）に配設されたベルトモール１３の上端位置であるので、全開位置Ａ及び全閉位置Ａ１と同様に予めコントローラ３１に記憶させておくことができる。この場合には、ステップＳ４において、全開位置Ａの代わりに減速終了位置Ｃを基準として減速開始位置Ｄを設定してもよい。
【００５１】
このようにして、モータ停止位置Ｂ、減速終了位置Ｃ、減速開始位置Ｄ、のそれぞれの位置におけるパルスカウント値を設定した後、ステップＳ５では、減速開始位置Ｄから減速終了位置Ｃにかけてのモータ２０への印加電圧変化をコントローラ３１へ読み込ませる。
本例の装置１では、モータ停止位置Ｂを全開位置Ａを基準として設定することができるので、車両や車種等によって全開位置Ａから全閉位置Ａ１までのストロークが異なっても、全開位置Ａ手前のウインドウガラス１１の停止位置を適宜に設定することが容易となる。
また、本例の装置１において、減速開始位置Ｄを減速終了位置Ｃを基準として設定した場合には、全開位置Ａから減速終了位置Ｃまでの寸法が異なっても、ウインドウガラス１１がベルトモール１３よりも上にある区間で確実に減速させることができる。
【００５２】
次に、図６に基づいて、ウインドウガラス１１を上方位置から全開位置Ａ方向へ下降させるときの、コントローラ３１の速度制御処理について説明する。この処理は、所定時間毎に繰り返し行われるものであり、この処理では、ウインドウガラス１１の位置に応じてモータ２０への駆動電圧の大きさが調整される。
【００５３】
コントローラ３１は、操作スイッチ４から通常開指令信号又はオート開指令信号を受けているか否かを監視している（ステップＳ１１）。操作スイッチ４から通常開指令信号又はオート開指令信号を受けていない場合（ステップＳ１１；ＮＯ）は、処理を一旦終了し、所定時間後に再びこの処理を繰り返す。
一方、操作スイッチ４から通常開指令信号又はオート開指令信号を受けた場合（ステップＳ１１；ＹＥＳ）は、コントローラ３１は、ウインドウガラス１１の現在位置が減速開始位置Ｄに到達しているか否かを判定する（ステップＳ１２）。すなわち、ウインドウガラス１１の現在位置が減速開始位置Ｄから全閉位置Ａ１の間にあるか否かを判定する。
【００５４】
ウインドウガラス１１の現在位置が減速開始位置Ｄに到達していない場合（ステップＳ１２；ＮＯ）は、モータ２０へ印加する電圧をＶ１（バッテリ電圧）に維持し（ステップＳ１３）、処理を一旦終了する。すなわち、この状態ではウインドウガラス１１は全閉位置Ａ１と減速開始位置Ｄの間に位置しており、この区間では、コントローラ３１は、ウインドウガラス１１を減速させるための速度制御を行わず、モータ２０への印加電圧がＶ１（バッテリ電圧）に維持されるように設定されている。このため、ウインドウガラス１１は通常の移動速度で下降する。
一方、ウインドウガラス１１の現在位置が減速開始位置Ｄに到達している場合（ステップＳ１２；ＹＥＳ）は、コントローラ３１は、ウインドウガラス１１の現在位置が減速終了位置Ｃに到達しているか否かを判定する（ステップＳ１４）。すなわち、ウインドウガラス１１の現在位置が減速開始位置Ｄから減速終了位置Ｃの間にあるか否かを判定する。
【００５５】
ウインドウガラス１１の現在位置が減速終了位置Ｃに到達していない場合（ステップＳ１４；ＮＯ）は、コントローラ３１は、ステップＳ１５でウインドウガラス１１の現在位置に応じてモータ２０へ印加する駆動電圧の大きさを調整し、処理を終了する。すなわち、この状態ではウインドウガラス１１は減速開始位置Ｄと減速終了位置Ｃの間に位置しており、この区間では、コントローラ３１は、ウインドウガラス１１の位置に応じて設定されたモータ印加電圧を読み出して、図４に示すように読み出した大きさの電圧をモータ２０へ印加する。
この速度制御処理（ステップＳ１５）は、ウインドウガラス１１が減速終了位置Ｃに到達するまで行われるため、これによりモータ２０の回転速度は低下していき、これに伴ってウインドウガラス１１の下降速度も低下していく。また、モータ２０への印加電圧は、減速終了位置ＣでＶ２となるように低減されていく。
なお、本例では、減速終了位置Ｃに到達するまでの区間ではウインドウガラス１１の上端がベルトモール１３よりも上にあるので、速度制御処理によってウインドウガラス１１が目に見えて低速化されながら下降していく状況が乗員に見えるようになっている。
【００５６】
一方、ウインドウガラス１１の現在位置が減速終了位置Ｃに到達している場合（ステップＳ１４；ＹＥＳ）は、コントローラ３１は、ウインドウガラス１１の現在位置がモータ停止位置Ｂに到達しているか否かを判定する（ステップＳ１６）。すなわち、ウインドウガラス１１の現在位置がモータ停止位置Ｂから全開位置Ａの間にあるか否かを判定する。
ウインドウガラス１１の現在位置がモータ停止位置Ｂに到達していない場合（ステップＳ１６；ＮＯ）は、コントローラ３１は、モータ２０へ印加する駆動電圧の大きさを低電圧一定、すなわち、減速終了位置Ｃで到達した電圧値（Ｖ２）で一定に維持し（ステップＳ１７）、処理を終了する。すなわち、この状態ではウインドウガラス１１は減速終了位置Ｃとモータ停止位置Ｂの間に位置しており、この区間では、モータ２０への印加電圧はＶ２（低電圧）に維持されるように設定されている。このため、ウインドウガラス１１は低速一定で下降する。
なお、ウインドウガラス１１は減速終了位置Ｃで上端がベルトモール１３を越えて完全にドア１０内に収納されるので、この区間では、ウインドウガラス１１の下降動作はすでに乗員には見えなくなっている。
【００５７】
一方、ウインドウガラス１１の現在位置がモータ停止位置Ｂに到達している場合（ステップＳ１６；ＹＥＳ）は、モータ２０への通電が遮断され（ステップＳ１８）、処理を終了する。モータ２０への通電が遮断された後は、上述のようにウインドウガラス１１は、自重及び移動に伴う慣性力によって全開位置Ａ方向への移動を継続し、全開位置Ａ手前の所定位置で停止する。
このようにして、本例では、減速開始位置Ｄと減速終了位置Ｃとの間では、ウインドウガラス１１の位置に応じて、ウインドウガラス１１を減速させるためにモータ２０への駆動電圧が調整される。そして、減速終了位置Ｃから低速一定で全開位置Ａ近傍のモータ停止位置Ｂまで下降した後、モータ停止位置Ｂからは、ウインドウガラス１１は自重及び移動速度の慣性力によってわずかに全開位置Ａ方向へ移動した所定位置で停止する。
【００５８】
次に、従来の装置と本例の装置１におけるウインドウガラス１１の全開動作を比較する。
従来の装置では、図７（Ａ）に示すように、全開位置Ａ付近の出力停止位置Ｆでモータへの通電が遮断され、モータ出力はゼロとなる。
図７（Ｂ）に示すように、摺動抵抗が小さい場合（負荷：小）には、モータ回転速度は出力停止位置Ｆを過ぎて全開位置Ａに到達したときにゼロとなる。すなわち、ウインドウガラス１１及び駆動手段は、ストッパ等と当接して強制的に全開位置Ａで作動を停止する。これにより、停止音が発生し、駆動手段に比較的小さな衝撃が加わる。
【００５９】
また、摺動抵抗が経時変化等によって大きくなった場合（負荷：大）には、負荷が大きいためモータ回転速度は出力停止位置Ｆを過ぎて急激に小さくなり、全開位置Ａに到達する前にゼロとなる。
このような従来の装置では、モータへの通電の遮断時のウインドウガラス１１の移動速度が大きいため、摺動抵抗の大きさによって出力停止位置Ｆからの移動距離が大きく異なることになる。このため、ウインドウガラス１１の停止位置のばらつきが大きくなってしまう。
【００６０】
一方、図８（Ａ）に示すように、本例の装置１では、減速開始位置Ｄから減速終了位置Ｃまでモータ出力を低減して目標速度（低速）に到達させ、その後、減速終了位置Ｃからモータ停止位置Ｂまでウインドウガラス１１の移動速度が低速一定で維持されている。従って、ウインドウガラス１１は、低速で停止されたモータ停止位置Ｂからはわずかな移動距離しか下降しないようになっている。
したがって、ウインドウガラス１１に掛かる摺動抵抗が小さい場合（負荷：小）と、大きい場合（負荷：大）とで、モータ停止位置Ｂからの移動距離に大きな違いは生じない。よって、摺動抵抗の大きさによって、ウインドウガラス１１の停止位置に大きなばらつきは生じない。このように、本例の装置１では、経時変化等に起因する摺動抵抗の変化によるウインドウガラス１１の停止位置のばらつきを、従来に比して小さくすることが可能である。
【００６１】
（全閉動作時の速度制御）
本例の装置１では、全閉動作時においても、上述した全開動作時と同様に、ウインドウガラス１１の上端が乗員に見えている区間において減速することにより、作動時の見た目の高級感が得られるような速度制御を行っている。
全閉動作時には、ウインドウガラス１１が下降方向ではなく上昇方向に移動しており、ウインドウガラス１１の先端が減速終了位置Ｃ１にあるときに、ウェザストリップ１４の下端を丁度通過する。なお、本例は全開動作時と全閉動作時の速度制御を両方行っているが、全開動作時の速度制御と、全閉動作時の速度制御のいずれか一方のみを行うようにすることも可能である。
【００６２】
以下、図３（Ｂ）及び図４（Ｂ）に基づいて、全閉位置Ａ１方向へ向かって上昇する際のモータ出力とウインドウガラス１１の位置及び移動速度との関係について説明する。
コントローラ３１は、図３（Ｂ）に示すように、下方位置（減速開始位置Ｄ１よりも作動区間の中央寄りの位置）から減速開始位置Ｄ１までの区間において、略一定の高いモータ出力を供給するようにモータ２０へ駆動電圧を供給し、比較的高速でウインドウガラス１１が上昇する。全閉動作時には全開動作時とは作動方向が逆となるので、モータ出力方向及び駆動電圧は、図３（Ｂ）に示すように、それぞれ全開動作時と正負逆の値となる。
なお、本例では全閉位置Ａ１方向への駆動時のモータ印加電圧を、全開位置Ａ方向への駆動時と大きさは同じで正負逆としているが、ウインドウガラス１１の上昇時と下降時でモータ印加電圧の大きさを変えて、上昇時と下降時の速度を異ならせてもよい。
また、減速開始位置Ｄ１までの区間において、全開動作時と同様にスロースタートさせるように構成してもよい。
【００６３】
ウインドウガラス１１が減速開始位置Ｄ１に到達してから減速終了位置Ｃ１に到達するまでの間には、コントローラ３１は、全開動作時と同様に、徐々にモータ出力を低減してウインドウガラス１１を減速し、ウインドウガラス１１の上昇速度を十分低速化する。
すなわち、減速開始位置Ｄ１から減速終了位置Ｃ１までの区間は本発明の減速区間に相当し、コントローラ３１は、全開動作時と同様にウインドウガラス１１の移動距離に比例してモータ出力を徐々に小さくするように駆動電圧を供給する。これにより、減速終了位置Ｃ１に到達するまでにウインドウガラス１１の上昇速度は目に見えて低速化され、減速終了位置Ｃ１において所定の目標速度（低速）に到達する。
【００６４】
次に、コントローラ３１は、本発明の低速区間に相当する減速終了位置Ｃ１からモータ停止位置Ｂ１までの区間において、全開動作時と同様に、モータ出力を、減速終了位置Ｃ１において到達した低速一定に維持する制御を行う。すなわち、ウインドウガラス１１の上端がウェザストリップ１４の下端を越えてその溝内部に隠れてから、ウェザストリップ１４の内部のモータ停止位置Ｂ１に到達するまでの区間では、ウインドウガラス１１は低速一定で上昇する。
その後、コントローラ３１は、モータ停止位置Ｂ１でモータ２０への通電を遮断し、これによりモータ出力を０とする。ウインドウガラス１１は、モータ２０への駆動電力の遮断後も、移動に伴う慣性力によって全開位置Ａ１方向へわずかに上昇する。このとき、全開動作時と異なり、駆動機構やモータ２０からの下降を妨げる抗力や摺動抵抗に加えて、ウインドウガラス１１の自重もその上昇を妨げるように作用するので、ウインドウガラス１１は全開動作時よりも速やかに低速化され、全開位置Ａ１手前の所定位置で上昇を停止する。
【００６５】
本例では、このように、全閉動作時においても、減速終了位置Ｃ１の手前に設定された減速開始位置Ｄ１から減速終了位置Ｃ１までの区間、すなわちウインドウガラス１１の上端が乗員にまだ見えている区間において、その移動速度が十分低速となるまで減速している。すなわち、全閉動作時においても、ウインドウガラス１１が徐々に速度を落としながら上昇する様子が乗員から視認されるため、作動時の見た目の高級感を得ることができる。
また、モータ出力が減速終了位置Ｃ１からモータ停止位置Ｂ１まで低速一定に維持された後通電停止されることにより、全開動作時と同様に、経時変化による摺動抵抗等が変化したとしても、ウインドウガラス１１を所定の停止位置からほとんどずれることなく停止させることが可能となる。
また、モータ停止位置Ｂ１は、全開動作時におけるモータ停止位置Ｂと同様に、モータ２０への通電を遮断したときのウインドウガラス１１の移動速度では、ウインドウガラス１１が全開位置Ａ１まで到達不能である位置に設定されている。従って、確実に全開位置Ａ１手前でウインドウガラス１１を停止させることができる。
【００６６】
続いて、図４（Ｂ）に基づいて、全閉動作時におけるモータ印加電圧とウインドウガラス１１の位置及び移動速度との関係について説明する。
コントローラ３１は、下方位置から減速開始位置Ｄ１までは電圧−Ｖ１（全開動作時とは正負逆の電圧）でモータ２０を駆動し、減速開始位置Ｄ１から減速終了位置Ｃ１までは移動距離に比例して駆動電圧（印加電圧）の大きさを減少させ、減速終了位置Ｃ１で印加電圧が−Ｖ２となるようにする。そして、減速終了位置Ｃ１からモータ停止位置Ｂ１までは電圧−Ｖ２でモータ２０を駆動する。その後、モータ停止位置Ｂ１においてモータ２０への通電が遮断され、モータ印加電圧は０となる。
なお、全開動作時と同様に、モータ停止位置Ｂ１でモータ２０への通電を遮断せず、ウインドウガラス１１の下降をアシストするための電圧を、所定時間だけモータ２０へ印加してもよい。また、電圧の大きさを低減させる代わりに、ＰＷＭ制御を行ってデューティー比を低減させてもよい。
【００６７】
図９、図１０は全閉動作時におけるコントローラ３１の処理フローである。図９に示すように、全閉動作時のコントローラ３１の設定処理では、図５に示す全開動作時のステップＳ１〜Ｓ５に代えて、ステップＳ１ａ〜Ｓ５ａを行う。
ステップＳ１ａでは、ウインドウガラス１１を全閉位置Ａ１に移動させた状態で、コントローラ３１が記憶するパルスカウント数をゼロリセットし、全閉位置Ａ１を基準位置に設定する。そして、ステップＳ２ａ〜Ｓ４ａにおいてモータ停止位置Ｂ１、減速終了位置Ｃ１、減速開始位置Ｄ１まで順次ウインドウガラスを下降させ、各基準位置におけるパルスカウント値を記憶させる。そして、ステップＳ５ａでは、減速開始位置Ｄ１から減速終了位置Ｃ１にかけてのモータ２０への印加電圧変化をコントローラ３１へ読み込ませる。
【００６８】
続いて、図１０に示すように、ウインドウガラス１１を下方位置から全閉位置Ａ１方向へ上昇させるときのコントローラ３１の速度制御処理では、図６に示す全開動作時のステップＳ１１〜Ｓ１８に代えて、ステップＳ１１ａ〜Ｓ１８ａを行う。この処理は全開動作時の処理と同様に所定時間毎に繰り返し行われ、ウインドウガラス１１の位置に応じてモータ２０への駆動電圧の大きさが調整される。
ステップＳ１１ａでは、操作スイッチ４から通常閉指令信号又はオート閉指令信号を受けているか否かを監視する。そして、ステップＳ１２ａ、Ｓ１４ａ、Ｓ１６ａではそれぞれウインドウガラス１１の現在位置が減速開始位置Ｄ１、減速終了位置Ｃ１、モータ停止位置Ｂ１に到達しているか否かの判定を行う。ステップＳ１３ａ、Ｓ１５ａ、Ｓ１７ａでは、判定されたウインドウガラス１１の現在位置に応じてモータ２０へ印加する駆動電圧の大きさを調整し、処理を終了する。
【００６９】
すなわち、減速開始位置Ｄ１から減速終了位置Ｃ１の間では、コントローラ３１は、ウインドウガラス１１の位置に応じて設定されたモータ印加電圧を読み出してモータ２０へ印加することにより、ウインドウガラス１１を減速する。なお、全閉動作時においても、減速終了位置Ｃ１に到達するまでの区間ではウインドウガラス１１の上端がウェザストリップ１４よりも下にあるので、速度制御処理によってウインドウガラス１１が目に見えて低速化されながら上昇していく状況が乗員に見えるようになっている。
また、減速終了位置Ｃ１からモータ停止位置Ｂ１の間では、モータ２０への印加電圧は−Ｖ２（低電圧）に維持されるように設定されている。このため、ウインドウガラス１１は低速一定で上昇する。そして、モータ停止位置Ｂ１に到達していれば、ステップＳ１８ａでモータ２０への通電が遮断され、処理を終了する。これにより、ウインドウガラス１１は、通電停止時の移動速度に応じた慣性力によって全閉位置Ａ１方向への移動を継続し、全閉位置Ａ１手前の所定位置で停止する。
【００７０】
図１１、図１２は従来の装置と本例の装置におけるウインドウガラス１１の全閉動作の比較であり、図７、図８と同様に、図１１が従来の装置における全閉動作、図１２が本例の装置における全閉操作である。この図に示すように、全閉動作時におけるモータ出力とモータ回転速度は、全開動作時と正負逆の値となっている。
全開動作時と全閉動作時のウインドウガラス１１の動作の相違点は、ウインドウガラス１１の移動方向が下降方向でなく上昇方向である点である。従って、ウインドウガラス１１の自重がその上昇を妨げるように作用するため、図１１において、出力停止位置Ｆ１でモータ出力がゼロとなった後におけるモータ出力及びモータ回転速度の低減率は図７よりも大きくなっている。しかしながら、この点は摺動抵抗の大きさの違いによるウインドウガラス１１の停止位置のばらつきには影響しない。従って、全閉動作時においても、全開動作時と同様に、経時変化等に起因する摺動抵抗の変化によるウインドウガラス１１の停止位置のばらつきを、従来に比して小さくすることができるという効果が得られる。
【００７１】
（改変例）
上記実施形態では、図３（Ａ）（Ｂ）に示すように減速開始位置Ｄから減速終了位置Ｃ又は減速開始位置Ｄ１から減速終了位置Ｃ１にかけて減速する際に、モータ出力をウインドウガラス１１の移動距離に比例するように直線的に低減させていったが、これに限らず、図１３〜図１５に示すようにモータ出力を低減させてもよい。
図１３の例は、全開動作時において、減速開始位置Ｄから減速終了位置Ｃにかけてモータ出力を階段状に減少させた例である。このとき、モータ２０への印加電圧も階段状に減少させている。
【００７２】
図１４の例は、減速開始位置Ｄから減速終了位置Ｃにかけてモータ出力を曲線的に減少させた例である。図１４では、減速終了位置Ｃよりも減速開始位置Ｄに近い位置でモータ出力の減少率が大きく設定されている。すなわち、減速初期（減速開始位置Ｄに到達した後）から減速中期の区間ではモータ出力の減少率が略一定で大きく、減速終期（減速終了位置Ｃに到達する少し前）においてモータ出力の減少率が次第に小さくなっている。
【００７３】
図１５の例は、減速初期（減速開始位置Ｄに到達した後）にモータ出力の減少率が次第に大きくなっており、減速終期（減速終了位置Ｃに到達する少し前）には図１４と同様にモータ出力の減少率が次第に小さくなっている。そして、減速中期にモータ出力の減少率が最も大きく、かつ、略一定となっている。図１４、図１５等のような例では、なめらかにモータ出力の増減率を変化させているので、ウインドウガラス１１が徐々に速度を落とす際の加速度の変化が滑らかであり、作動時の見た目の高級感がより向上されている。
【００７４】
図１３〜図１５のような改変例では、全開動作時の減速開始位置Ｄから減速終了位置Ｃまでの区間におけるモータ出力の変化パターンを種々変更することにより、それに基づいて、乗員に視認されるウインドウガラス１１の速度変化のパターンを変化させることができる。よって、乗員の嗜好に合った開閉制御を実現することができる。なお、全閉動作時の減速開始位置Ｄ１から減速終了位置Ｃ１までの減速区間においても同様に、図１３〜図１５に示すようなモータ出力の変化パターンを適用してもよい。これにより、全閉動作時においても、乗員の嗜好に合った開閉制御を実現することができる。
【００７５】
なお、上記各改変例において、減速終了位置Ｃ（減速終了位置Ｃ１）におけるウインドウガラス１１の移動加速度が異なる場合があるが、いずれの改変例においても、減速終了位置Ｃからモータ停止位置Ｂまで（減速終了位置Ｃ１からモータ停止位置Ｂ１まで）は低速一定とされているので、通電遮断時における移動加速度はゼロとなっている。従って、上記いずれの改変例においても、ウインドウガラス１１を所定の停止位置からほとんどずれることなく停止させることができる。これにより、停止時の衝撃音の発生を防止することができると共に、駆動機構等にダメージが積み重なるのを防止することができ、耐久性を確保することができる。
【００７６】
また、上記実施形態では、車両のパワーウインドウ装置１に本発明の開閉部材制御装置を適用した例を示したが、これに限らず、サンルーフ開閉装置やスライドドア開閉装置等の開閉部材を開閉駆動する装置に全般に適用してもよい。
【図面の簡単な説明】
【００７７】
【図１】本発明の一実施形態に係るパワーウインドウ装置の説明図である。
【図２】図１のパワーウインドウ装置の電気構成図である。
【図３】ウインドウガラスの位置とモータ出力の関係を表わすグラフである。
【図４】ウインドウガラスの位置とモータ印加電圧の関係を表わすグラフである。
【図５】全開動作時のコントローラの設定処理の処理フローである。
【図６】全開動作時のコントローラの速度制御処理の処理フローである。
【図７】比較例のウインドウガラスの全開動作時における位置とモータ出力及びモータ回転速度の関係を表わすグラフである。
【図８】本実施形態のウインドウガラスの全開動作時における位置とモータ出力及びモータ回転速度の関係を表わすグラフである。
【図９】全閉動作時のコントローラの設定処理の処理フローである。
【図１０】全閉動作時のコントローラの速度制御処理の処理フローである。
【図１１】比較例のウインドウガラスの全閉動作時における位置とモータ出力及びモータ回転速度の関係（全閉動作時）を表わすグラフである。
【図１２】本実施形態のウインドウガラスの全閉動作時における位置とモータ出力及びモータ回転速度の関係を表わすグラフである。
【図１３】改変例のウインドウガラスの位置とモータ出力の関係を表わすグラフである。
【図１４】改変例のウインドウガラスの位置とモータ出力の関係を表わすグラフである。
【図１５】改変例のウインドウガラスの位置とモータ出力の関係を表わすグラフである。
【符号の説明】
【００７８】
１‥パワーウインドウ装置（装置）、２‥駆動手段、３‥制御手段、４‥操作スイッチ
５‥バッテリ、１０‥ドア、１１‥ウインドウガラス、１２‥窓枠
１３‥ベルトモール、１４‥ウェザストリップ、２０‥モータ、２１‥昇降アーム
２１ａ‥ギヤ、２２‥従動アーム、２３‥固定チャンネル、２４‥ガラス側チャンネル
２７‥回転検出装置、３１‥コントローラ、３２‥駆動回路
Ａ‥全開位置、Ｂ‥モータ停止位置、Ｃ‥減速終了位置、Ｄ‥減速開始位置
Ａ１‥全閉位置、Ｂ１‥モータ停止位置、Ｃ１‥減速終了位置、Ｄ１‥減速開始位置
Ｆ，Ｆ１‥出力停止位置
【図１】
2008069571.tif 000003
【図２】
2008069571.tif 000004
【図３】
2008069571.tif 000005
【図４】
2008069571.tif 000006
【図５】
2008069571.tif 000007
【図６】
2008069571.tif 000008
【図７】
2008069571.tif 000009
【図８】
2008069571.tif 000010
【図９】
2008069571.tif 000011
【図１０】
2008069571.tif 000012
【図１１】
2008069571.tif 000013
【図１２】
2008069571.tif 000014
【図１３】
2008069571.tif 000015
【図１４】
2008069571.tif 000016
【図１５】
2008069571.tif 000017